【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
動画像の動きベクトルを取得する方法であって、
現在画像ブロックの動きベクトル候補リストに入れられるＭ個の動きベクトル候補を取得することと、
前記Ｍ個の動きベクトル候補のうちのＭより小さいＮ個の動きベクトル候補を順次走査し、走査結果に基づいて、参照動きベクトルを確定することと、
前記参照動きベクトル、前記現在画像ブロックおよび前記現在画像ブロックの参照画像に基づいて、前記動きベクトル候補リストに引き続き入れられる動きベクトル候補を確定することと、
前記動きベクトル候補リストに基づいて、前記現在画像ブロックの動きベクトルを確定することとを含む動画像の動きベクトルを取得する方法。
【請求項２】
前記現在画像ブロックの動きベクトル候補リストに入れられるＭ個の動きベクトル候補を取得することは、
現在画像ブロックの現在フレーム内でのＭ個の近傍ブロックの動きベクトルに基づいて、前記現在画像ブロックの動きベクトル候補リストに入れられるＭ個の動きベクトル候補を取得することを含む請求項１に記載の方法。
【請求項３】
前記近傍ブロックは現在フレームにおいて前記現在画像ブロックの位置に隣接しまたはある位置ピッチを有する画像ブロックである請求項２に記載の方法。
【請求項４】
前記Ｍ個の動きベクトル候補のうちＮ個の動きベクトル候補を順次走査することは、
前記Ｍ個の動きベクトル候補のうち前のＮ個の動きベクトル候補を順次走査することを含む請求項２または３に記載の方法。
【請求項５】
Ｍは４に等しく、Ｎは４より小さい請求項１〜４のいずれか一項に記載の方法。
【請求項６】
Ｎは１または２に等しい請求項５に記載の方法。
【請求項７】
前記Ｍ個の動きベクトル候補のうちのＮ個の動きベクトル候補を順次走査し、走査結果に基づいて、参照動きベクトルを確定することは、
事前設定条件に基づいて、前記Ｍ個の動きベクトル候補のうちのＮ個の動きベクトル候補を順次走査し、走査結果に基づいて、前記参照動きベクトルを確定することを含む請求項１〜６のいずれか一項に記載の方法。
【請求項８】
前記事前設定条件は、
指す参照フレームと前記現在画像ブロックの参照画像が同じである動きベクトル候補を含む請求項７に記載の方法。
【請求項９】
前記事前設定条件に基づいて、前記Ｍ個の動きベクトル候補のうちのＮ個の動きベクトル候補を順次走査し、走査結果に基づいて、前記参照動きベクトルを確定することは、
前記Ｎ個の動きベクトル候補を順次走査し、１つ目の前記事前設定条件に符合する動きベクトル候補まで走査すると、走査を停止し、かつ前記走査した１つ目の前記事前設定条件に符合する動きベクトル候補に基づいて、前記参照動きベクトルを確定することを含む請求項７または８に記載の方法。
【請求項１０】
前記事前設定条件に基づいて、前記Ｍ個の動きベクトル候補のうちのＮ個の動きベクトル候補を順次走査し、走査結果に基づいて、前記参照動きベクトルを確定することは、
前記Ｎ個の動きベクトル候補のうち前記事前設定条件に符合する動きベクトル候補が走査されていない時、前記動きベクトル候補リスト中の特定動きベクトル候補に対してスケーリング処理を行い、スケーリング処理後の特定動きベクトル候補に基づいて、前記参照動きベクトルを確定することを含む請求項７または８に記載の方法。
【請求項１１】
前記特定動きベクトル候補は、前記Ｎ個の動きベクトル候補のうち、走査順で得られた１つ目の動きベクトルまたは最後の動きベクトルである請求項１０に記載の方法。
【請求項１２】
前記動きベクトル候補リスト中の特定動きベクトル候補に対してスケーリング処理を行い、スケーリング処理後の特定動きベクトル候補に基づいて、前記参照動きベクトルを確定することは、
前記動きベクトル候補リストにおける特定動きベクトル候補にスケーリング処理を行って、前記スケーリング処理後の特定動きベクトル候補が指す参照フレームが前記現在画像ブロックの参照画像と同じになるようにすることと、
前記スケーリング処理後の特定動きベクトル候補を前記参照動きベクトルとすることを含む請求項１０または１１に記載の方法。
【請求項１３】
前記事前設定条件に基づいて、前記Ｍ個の動きベクトル候補のうちのＮ個の動きベクトル候補を順次走査し、走査結果に基づいて、前記参照動きベクトルを確定することは、
前記Ｎ個の動きベクトル候補のうち前記事前設定条件に符合する動きベクトル候補が走査されていない時、デフォルト値を前記参照動きベクトルとすることを含む請求項７または８に記載の方法。
【請求項１４】
前記デフォルト値は動きベクトル（０，０）である請求項１３に記載の方法。
【請求項１５】
前記参照動きベクトル、前記現在画像ブロックおよび前記現在画像ブロックの参照画像に基づいて、前記動きベクトル候補リストに引き続き入れられる動きベクトル候補を確定することは、
前記現在画像ブロックを複数のサブ画像ブロックに分割することと、
前記参照動きベクトルに基づいて、前記現在画像ブロックの参照画像において前記サブ画像ブロックの関連ブロックを確定することと、
前記関連ブロックの動きベクトルに基づいて、前記動きベクトル候補リストに引き続き入れる動きベクトル候補を確定することとを含む請求項１〜１４のいずれか一項に記載の方法。
【請求項１６】
前記サブ画像ブロックのサイズおよび／または前記サブ画像ブロックの関連ブロックのサイズは６４以上の画素に固定される請求項１５に記載の方法。
【請求項１７】
前記現在画像ブロックは１つの符号化ユニットＣＵである請求項１５に記載の方法。
【請求項１８】
前記参照動きベクトル、前記現在画像ブロックおよび前記現在画像ブロックの参照画像に基づいて、前記動きベクトル候補リストに引き続き入れられる動きベクトル候補を確定することは、
前記参照動きベクトルに基づいて、前記現在画像ブロックの参照画像において前記現在画像ブロックの関連ブロックを確定することと、
前記関連ブロックの動きベクトルに基づいて、前記動きベクトル候補リストに引き続き入れる動きベクトル候補を確定することとを含む請求項１〜１４のいずれか一項に記載の方法。
【請求項１９】
前記関連ブロックの動きベクトルに基づいて、前記動きベクトル候補リストに引き続き入れる動きベクトル候補を確定することは、
前記関連ブロックの動きベクトルが特定参照画像を指し、または前記現在画像ブロックの参照画像が特定参照画像である場合、処理後の前記関連ブロックの動きベクトルに基づいて、前記動きベクトル候補リストに引き続き入れる動きベクトル候補を確定することを含み、
前記処理後の前記関連ブロックの動きベクトルと処理前の関連ブロックの動きベクトルは同じである請求項１５〜１８のいずれか一項に記載の方法。
【請求項２０】
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む請求項１９に記載の方法。
【請求項２１】
前記関連ブロックの動きベクトルに基づいて、前記動きベクトル候補リストに引き続き入れる動きベクトル候補を確定することは、
前記関連ブロックの動きベクトルが特定参照画像を指し、または前記現在画像ブロックの参照画像が特定参照画像である場合、前記関連ブロックの動きベクトルに基づいて、前記動きベクトル候補リストに引き続き入れる動きベクトル候補を確定することを放棄することを含む請求項１５〜１８のいずれか一項に記載の方法。
【請求項２２】
前記方法はさらに、
前記特定動きベクトル候補が特定参照画像を指し、または前記現在画像ブロックの参照画像が特定参照画像である場合、処理後の前記特定動きベクトル候補に基づいて、前記動きベクトル候補リストに引き続き入れる動きベクトル候補を確定することを含み、
前記処理後の前記特定動きベクトル候補と処理前の特定動きベクトル候補は同じである請求項１０〜１２のいずれか一項に記載の方法。
【請求項２３】
前記方法はさらに、
前記特定動きベクトル候補が特定参照画像を指し、または前記現在画像ブロックの参照画像が特定参照画像である場合、前記特定動きベクトル候補に基づいて前記動きベクトル候補リストに引き続き入れる動きベクトル候補を確定することを放棄することを含む請求項１０〜１２のいずれか一項に記載の方法。
【請求項２４】
前記動きベクトル候補リストはＭｅｒｇｅ候補リストである請求項１〜２３のいずれか一項に記載の方法。
【請求項２５】
前記現在画像ブロックの参照画像は前記現在画像ブロックの同位フレームである請求項１〜２４のいずれか一項に記載の方法。
【請求項２６】
前記サブ画像ブロックのサイズおよび／または前記サブ画像ブロックの関連ブロックのサイズはいずれも８×８画素に固定される請求項１５に記載の方法。
【請求項２７】
動画像の動きベクトルを取得する方法であって、
現在画像ブロックの動きベクトル候補リストに入れられるＭ個の動きベクトル候補を取得することと、
前記Ｍ個の動きベクトル候補のうちの少なくとも一部の動きベクトル候補を順次走査し、前記走査結果に基づいて、前記現在画像ブロックの参照動きベクトルを確定することと、
前記現在画像ブロックをサイズが６４以上の画素に固定される複数のサブ画像ブロックに分割することと、
前記参照動きベクトルに基づいて、前記現在画像ブロックの参照画像において前記サブ画像ブロックの関連ブロックを確定することと、
前記関連ブロックの動きベクトルに基づいて、前記動きベクトル候補リストに引き続き入れる動きベクトル候補を確定することとを含む動画像の動きベクトルを取得する方法。
【請求項２８】
前記サブ画像ブロックのサイズおよび／または前記サブ画像ブロックの関連ブロックのサイズはいずれも８×８画素に固定される請求項２７に記載の方法。
【請求項２９】
前記Ｍ個の動きベクトル候補のうちの少なくとも一部の動きベクトル候補を順次走査し、走査結果に基づいて、参照動きベクトルを確定することは、
前記少なくとも一部の動きベクトル候補を順次走査し、１つ目の事前設定条件に符合する動きベクトル候補まで走査すると、走査を停止し、かつ前記走査した前記１つ目の事前設定条件に符合する動きベクトル候補に基づいて参照動きベクトルを確定することを含む請求項２７に記載の方法。
【請求項３０】
前記走査された前記１つ目の事前設定条件に符合する動きベクトル候補に基づいて、参照動きベクトルを確定することは、
前記１つ目の事前設定条件に符合する動きベクトル候補を対象近傍ブロックとすることを含請求項２９に記載の方法。
【請求項３１】
前記事前設定条件は、
動きベクトル候補の参照画像と前記現在画像ブロックの参照画像が同じであることを含む請求項２９に記載の方法。
【請求項３２】
動画像の動きベクトルを取得する装置であって、
現在画像ブロックの動きベクトル候補リストに入れられるＭ個の動きベクトル候補を取得するために用いられる取得ユニットと、
前記Ｍ個の動きベクトル候補のうちのＮ個の動きベクトル候補を順次走査し、走査結果に基づいて、参照動きベクトルを確定するために用いられ、ＮがＭより小さい確定ユニットとを含み、
前記確定ユニットはさらに、前記参照動きベクトル、前記現在画像ブロックおよび前記現在画像ブロックの参照画像に基づいて、前記動きベクトル候補リストに引き続き入れられる動きベクトル候補を確定するために用いられ、
前記確定ユニットはさらに、前記動きベクトル候補リストに基づいて、前記現在画像ブロックの動きベクトルを確定するために用いられる動画像の動きベクトルを取得する装置。
【請求項３３】
コンピュータ記憶媒体であって、それにコンピュータプログラムが記憶され、前記コンピュータプログラムはコンピュータに実行されるとき、前記コンピュータに請求項１〜３１のいずれか一項に記載の方法を実行させるコンピュータ記憶媒体。
【請求項３４】
命令を含むコンピュータプログラム製品であって、前記命令がコンピュータに実行されるとき、前記コンピュータに請求項１〜３１のいずれか一項に記載の方法を実行させる命令を含むコンピュータプログラム。
【手続補正２】
【補正対象書類名】明細書
【補正対象項目名】発明の名称
【補正方法】変更
【補正の内容】
【発明の名称】動画像動きベクトルを取得する方法、動画像動きベクトルを取得する装置、コンピュータ記憶媒体、及びコンピュータプログラム
【手続補正３】
【補正対象書類名】明細書
【補正対象項目名】０３５６
【補正方法】変更
【補正の内容】
【０３５６】
以上のように、本出願の発明を実施するための形態にすぎず、本出願の保護範囲は、これに限定されるものではなく、当業者であれば、本出願において開示されている技術範囲内において、容易に変更または交換を行うことができるものであれば、本出願の保護範囲内に含まれるものである。したがって、本出願の保護範囲は、前記の特許請求の範囲に準じるものとする。
（項目１）
動画像の動きベクトルを取得する方法であって、
現在画像ブロックの動きベクトル候補リストに入れられるＭ個の動きベクトル候補を取得することと、
前記Ｍ個の動きベクトル候補のうちのＭより小さいＮ個の動きベクトル候補を順次走査し、走査結果に基づいて、参照動きベクトルを確定することと、
前記参照動きベクトル、前記現在画像ブロックおよび前記現在画像ブロックの参照画像に基づいて、前記動きベクトル候補リストに引き続き入れられる動きベクトル候補を確定することと、
前記動きベクトル候補リストに基づいて、前記現在画像ブロックの動きベクトルを確定することとを含む動画像の動きベクトルを取得する方法。
（項目２）
前記現在画像ブロックの動きベクトル候補リストに入れられるＭ個の動きベクトル候補を取得することは、
現在画像ブロックの現在フレーム内でのＭ個の近傍ブロックの動きベクトルに基づいて、前記現在画像ブロックの動きベクトル候補リストに入れられるＭ個の動きベクトル候補を取得することを含む項目１に記載の方法。
（項目３）
前記近傍ブロックは現在フレームにおいて前記現在画像ブロックの位置に隣接しまたはある位置ピッチを有する画像ブロックである項目２に記載の方法。
（項目４）
前記の前記Ｍ個の動きベクトル候補のうちＮ個の動きベクトル候補を順次走査することは、
前記Ｍ個の動きベクトル候補のうち前のＮ個の動きベクトル候補を順次走査することを含む項目２または３に記載の方法。
（項目５）
Ｍは４に等しく、前記Ｎは４より小さい項目１〜４のいずれか一項に記載の方法。
（項目６）
Ｎは１または２に等しい項目５に記載の方法。
（項目７）
前記の前記Ｍ個の動きベクトル候補のうちのＮ個の動きベクトル候補を順次走査し、走査結果に基づいて、参照動きベクトルを確定することは、
事前設定条件に基づいて、前記Ｍ個の動きベクトル候補のうちのＮ個の動きベクトル候補を順次走査し、走査結果に基づいて、前記参照動きベクトルを確定することを含む項目１〜６のいずれか一項に記載の方法。
（項目８）
前記事前設定条件は、
指す参照フレームと前記現在画像ブロックの参照画像が同じである動きベクトル候補を含む項目７に記載の方法。
（項目９）
前記の事前設定条件に基づいて、前記Ｍ個の動きベクトル候補のうちのＮ個の動きベクトル候補を順次走査し、走査結果に基づいて、前記参照動きベクトルを確定することは、
前記Ｎ個の動きベクトル候補を順次走査し、１つ目の前記事前設定条件に符合する動きベクトル候補まで走査すると、走査を停止し、かつ前記走査した１つ目の前記事前設定条件に符合する動きベクトル候補に基づいて、前記参照動きベクトルを確定することを含む項目７または８に記載の方法。
（項目１０）
前記の事前設定条件に基づいて、前記Ｍ個の動きベクトル候補のうちのＮ個の動きベクトル候補を順次走査し、走査結果に基づいて、前記参照動きベクトルを確定することは、
前記Ｎ個の動きベクトル候補のうち前記事前設定条件に符合する動きベクトル候補が走査されていない時、前記動きベクトル候補リスト中の特定動きベクトル候補に対してスケーリング処理を行い、スケーリング処理後の特定動きベクトル候補に基づいて、前記参照動きベクトルを確定することを含む項目７または８に記載の方法。
（項目１１）
前記特定動きベクトル候補は、前記Ｎ個の動きベクトル候補のうち、走査順で得られた１つ目の動きベクトルまたは最後の動きベクトルである項目１０に記載の方法。
（項目１２）
前記の前記動きベクトル候補リスト中の特定動きベクトル候補に対してスケーリング処理を行い、スケーリング処理後の特定動きベクトル候補に基づいて、前記参照動きベクトルを確定することは、
前記動きベクトル候補リストにおける特定動きベクトル候補にスケーリング処理を行って、前記スケーリング処理後の特定動きベクトル候補が指す参照フレームが前記現在画像ブロックの参照画像と同じになるようにすることと、
前記スケーリング処理後の特定動きベクトル候補を前記参照動きベクトルとすることを含む項目１０または１１に記載の方法。
（項目１３）
前記の事前設定条件に基づいて、前記Ｍ個の動きベクトル候補のうちのＮ個の動きベクトル候補を順次走査し、走査結果に基づいて、前記参照動きベクトルを確定することは、
前記Ｎ個の動きベクトル候補のうち前記事前設定条件に符合する動きベクトル候補が走査されていない時、デフォルト値を前記参照動きベクトルとすることを含む項目７または８に記載の方法。
（項目１４）
前記デフォルト値は動きベクトル（０，０）である項目１３に記載の方法。
（項目１５）
前記の前記参照動きベクトル、前記現在画像ブロックおよび前記現在画像ブロックの参照画像に基づいて、前記動きベクトル候補リストに引き続き入れられる動きベクトル候補を確定することは、
前記現在画像ブロックを複数のサブ画像ブロックに分割することと、
前記参照動きベクトルに基づいて、前記現在画像ブロックの参照画像において前記サブ画像ブロックの関連ブロックを確定することと、
前記関連ブロックの動きベクトルに基づいて、前記動きベクトル候補リストに引き続き入れる動きベクトル候補を確定することとを含む項目１〜１４のいずれか一項に記載の方法。
（項目１６）
前記サブ画像ブロックのサイズおよび／または前記サブ画像ブロックの関連ブロックのサイズは６４以上の画素に固定される項目１５に記載の方法。
（項目１７）
前記現在画像ブロックは１つの符号化ユニットＣＵである項目１５に記載の方法。
（項目１８）
前記の前記参照動きベクトル、前記現在画像ブロックおよび前記現在画像ブロックの参照画像に基づいて、前記動きベクトル候補リストに引き続き入れられる動きベクトル候補を確定することは、
前記参照動きベクトルに基づいて、前記現在画像ブロックの参照画像において前記現在画像ブロックの関連ブロックを確定することと、
前記関連ブロックの動きベクトルに基づいて、前記動きベクトル候補リストに引き続き入れる動きベクトル候補を確定することとを含む項目１〜１４のいずれか一項に記載の方法。
（項目１９）
前記の前記関連ブロックの動きベクトルに基づいて、前記動きベクトル候補リストに引き続き入れる動きベクトル候補を確定することは、
前記関連ブロックの動きベクトルが特定参照画像を指し、または前記現在画像ブロックの参照画像が特定参照画像である場合、処理後の前記関連ブロックの動きベクトルに基づいて、前記動きベクトル候補リストに引き続き入れる動きベクトル候補を確定することを含み、
前記処理後の前記関連ブロックの動きベクトルと処理前の関連ブロックの動きベクトルは同じである項目１５〜１８のいずれか一項に記載の方法。
（項目２０）
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む項目１９に記載の方法。
（項目２１）
前記の前記関連ブロックの動きベクトルに基づいて、前記動きベクトル候補リストに引き続き入れる動きベクトル候補を確定することは、
前記関連ブロックの動きベクトルが特定参照画像を指し、または前記現在画像ブロックの参照画像が特定参照画像である場合、前記関連ブロックの動きベクトルに基づいて、前記動きベクトル候補リストに引き続き入れる動きベクトル候補を確定することを放棄することを含む項目１５〜１８のいずれか一項に記載の方法。
（項目２２）
前記方法はさらに、
前記特定動きベクトル候補が特定参照画像を指し、または前記現在画像ブロックの参照画像が特定参照画像である場合、前記処理後の前記特定動きベクトル候補に基づいて、前記動きベクトル候補リストに引き続き入れる動きベクトル候補を確定することを含み、
前記処理後の前記特定動きベクトル候補と処理前の特定動きベクトル候補は同じである項目１０〜１２のいずれか一項に記載の方法。
（項目２３）
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む項目２２に記載の方法。
（項目２４）
前記方法はさらに、
前記特定動きベクトル候補が特定参照画像を指し、または前記現在画像ブロックの参照画像が特定参照画像である場合、前記特定動きベクトル候補に基づいて前記動きベクトル候補リストに引き続き入れる動きベクトル候補を確定することを放棄することを含む項目１０〜１２のいずれか一項に記載の方法。
（項目２５）
前記動きベクトル候補リストはＭｅｒｇｅ候補リストである項目１〜２４のいずれか一項に記載の方法。
（項目２６）
前記現在画像ブロックの参照画像は前記現在画像ブロックの同位フレームである項目１〜２５のいずれか一項に記載の方法。
（項目２７）
前記サブ画像ブロックのサイズおよび／または前記サブ画像ブロックの関連ブロックのサイズはいずれも８×８画素に固定される項目１５に記載の方法。
（項目２８）
動画像の動きベクトルを取得する方法であって、
現在画像ブロックの動きベクトル候補リストに入れられるＭ個の動きベクトル候補を取得することと、
前記Ｍ個の動きベクトル候補のうちの少なくとも一部の動きベクトル候補を順次走査し、前記走査結果に基づいて、前記現在画像ブロックの参照動きベクトルを確定することと、
前記現在画像ブロックをサイズが６４以上の画素に固定される複数のサブ画像ブロックに分割することと、
前記参照動きベクトルに基づいて、前記現在画像ブロックの参照画像において前記サブ画像ブロックの関連ブロックを確定することと、
前記関連ブロックの動きベクトルに基づいて、前記動きベクトル候補リストに引き続き入れる動きベクトル候補を確定することとを含む動画像の動きベクトルを取得する方法。
（項目２９）
前記サブ画像ブロックのサイズおよび／または前記サブ画像ブロックの関連ブロックのサイズはいずれも８×８画素に固定される項目２８に記載の方法。
（項目３０）
前記Ｍ個の動きベクトル候補のうちの少なくとも一部の動きベクトル候補を順次走査し、走査結果に基づいて、参照動きベクトルを確定することは、
前記少なくとも一部の動きベクトル候補を順次走査し、１つ目の事前設定条件に符合する動きベクトル候補まで走査すると、走査を停止し、かつ前記走査した前記１つ目の事前設定条件に符合する動きベクトル候補に基づいて参照動きベクトルを確定することを含む項目２８に記載の方法。
（項目３１）
前記の前記走査された前記１つ目の事前設定条件に符合する動きベクトル候補に基づいて、参照動きベクトルを確定することは、
前記１つ目の事前設定条件に符合する動きベクトル候補を前記対象近傍ブロックとすることを含項目３０に記載の方法。
（項目３２）
前記事前設定条件は、
動きベクトル候補の参照画像と前記現在画像ブロックの参照画像が同じであることを含む項目３０に記載の方法。
（項目３３）
動画像処理方法であって、
現在画像ブロックのＭ個の近傍ブロックを取得することと、
前記Ｍ個の近傍ブロックのうち、Ｍより小さいＮ個の近傍ブロックを順次走査し、走査結果に基づいて、対象近傍ブロックを確定することと、
前記対象近傍ブロックの動きベクトル、前記現在画像ブロック、および前記現在画像ブロックの参照画像に基づいて、前記現在画像ブロックの関連ブロックを確定することと、
前記関連ブロックの動きベクトルに基づいて、前記現在画像ブロックを符号化／復号することとを含む動画像処理方法。
（項目３４）
Ｍは４に等しく、前記Ｎは４より小さい項目３３に記載の方法。
（項目３５）
Ｎは１または２に等しい項目３４に記載の方法。
（項目３６）
前記の前記Ｍ個の近傍ブロックのうちＮ個の近傍ブロックを順次走査することは、
前記Ｍ個の近傍ブロックのうち前のＮ個の近傍ブロックを順次走査することを含む項目３３〜３５のいずれか一項に記載の方法。
（項目３７）
前記の現在画像ブロックのＭ個の近傍ブロックを取得することは、
予め設定された順で現在画像ブロックのＭ個の近傍ブロックを順次取得することとを含み、
前記前のＮ個の近傍ブロックとは、前記予め設定された順で最初に確定されたＮ個の近傍ブロックを指す項目３６に記載の方法。
（項目３８）
前記の前記Ｍ個の近傍ブロックのうちのＮ個の近傍ブロックを順次走査し、走査結果に基づいて、対象近傍ブロックを確定することは、
前記Ｎ個の近傍ブロックを順次走査し、１つ目の事前設定条件に符合する近傍ブロックまで走査すると、走査を停止し、かつ前記走査した前記１つ目の事前設定条件に符合する近傍ブロックに基づいて、対象近傍ブロックを確定することを含む項目３３〜３７のいずれか一項に記載の方法。
（項目３９）
前記の前記走査した前記１つ目の事前設定条件に符合する近傍ブロックに基づいて、対象近傍ブロックを確定することは、
前記１つ目の事前設定条件に符合する近傍ブロックを前記対象近傍ブロックとすることを含む項目３８に記載の方法。
（項目４０）
前記事前設定条件は、
近傍ブロックの参照画像と前記現在画像ブロックの参照画像が同じであることを含む項目３９に記載の方法。
（項目４１）
前記の前記関連ブロックの動きベクトルに基づいて、前記現在画像ブロックを符号化／復号することは、
前記関連ブロックの動きベクトルと参照画像に基づいて、前記現在画像ブロックの参照ブロックを確定することを含む項目３３〜４０のいずれか一項に記載の方法。
（項目４２）
前記の前記関連ブロックの動きベクトルに基づいて、前記現在画像ブロックを符号化／復号することは、
前記現在画像ブロックの候補ブロックリストを構築し、前記候補ブロックリストにおける候補ブロックは前記Ｍ個の近傍ブロックと前記関連ブロックを含み、
前記候補ブロックリストにおける候補ブロックの参照ブロックに基づいて、前記現在画像ブロックを符号化／復号することを含む項目４１に記載の方法。
（項目４３）
前記方法はさらに、
前記Ｎ個の近傍ブロック中に前記事前設定条件に符合する近傍ブロックが走査されていない場合、前記Ｍ個の近傍ブロック中の特定近傍ブロックの動きベクトルにスケーリング処理を行い、前記スケーリング処理後の動きベクトルに基づいて前記現在画像ブロックを符号化／復号することを含む項目３３〜４２のいずれか一項に記載の方法。
（項目４４）
前記の前記スケーリング処理後の動きベクトルに基づいて、前記現在画像ブロックを符号化／復号することは、
前記スケーリング処理後の動きベクトルと前記現在画像ブロックの参照画像に基づいて、前記現在画像ブロックの参照ブロックを確定することを含む項目４３に記載の方法。
（項目４５）
前記特定近傍ブロックは、前記Ｎ個の近傍ブロックのうち、走査順で得られた１つ目近傍ブロックまたは最後の近傍ブロックであることを含む項目４３に記載の方法。
（項目４６）
前記の前記Ｍ個の近傍ブロック中の特定近傍ブロックの動きベクトルにスケーリング処理を行い、前記スケーリング処理後の動きベクトルに基づいて、前記現在画像ブロックを符号化／復号することは、
前記特定近傍ブロックの動きベクトルにスケーリング処理を行い、前記スケーリング処理後の動きベクトルが指す参照フレームが前記現在画像ブロックの参照画像と同じになるようにすることと、
前記スケーリング処理後の動きベクトルの前記現在画像ブロックの参照画像中で指す画像ブロックを前記現在画像ブロックの参照ブロックとすることとを含む項目４３に記載の方法。
（項目４７）
前記方法はさらに、
前記Ｎ個の近傍ブロック中に前記事前設定条件に符合する近傍ブロックが走査されていない場合、デフォルトブロックを前記現在画像ブロックの参照ブロックとすることを含む項目３３〜４２のいずれか一項に記載の方法。
（項目４８）
前記ディフォルトブロックは動きベクトル（０，０）が指す画像ブロックである項目４７に記載の方法。
（項目４９）
前記の前記対象近傍ブロックの動きベクトル、前記現在画像ブロック、および前記現在画像ブロックの参照画像に基づいて、前記現在画像ブロックの関連ブロックを確定することは、
前記現在画像ブロックを複数のサブ画像ブロックに分割することと、
前記対象近傍ブロックの動きベクトルに基づいて、前記現在画像ブロックの参照画像においてサブ画像ブロックの関連ブロックを確定することを含み、前記現在画像ブロックの関連ブロックは前記サブ画像ブロックの関連ブロックを含む項目３３〜４８のいずれか一項に記載の方法。
（項目５０）
前記サブ画像ブロックのサイズおよび／または前記サブ画像ブロックの関連ブロックのサイズは６４以上の画素に固定される項目４９に記載の方法。
（項目５１）
前記現在画像ブロックは１つの符号化ユニットＣＵである項目３３〜５０のいずれか一項に記載の方法。
（項目５２）
前記の前記対象近傍ブロックの動きベクトル、前記現在画像ブロック、および前記現在画像ブロックの参照画像に基づいて、前記現在画像ブロックの関連ブロックを確定することは、
前記対象近傍ブロックの動きベクトルに基づいて、前記現在画像ブロックの参照画像において、前記現在画像ブロックの関連ブロックを確定する項目３３〜４５のいずれか一項に記載の方法。
（項目５３）
前記近傍ブロックは、前記現在画像において前記現在画像ブロックの位置に隣接しまたはある位置ピッチを有する画像ブロックである項目３３〜５２のいずれか一項に記載の方法。
（項目５４）
前記の前記関連ブロックの動きベクトルに基づいて、前記現在画像ブロックを符号化／復号することは、
前記関連ブロックの参照画像が特定参照画像または前記現在画像ブロックの参照画像が特定参照画像である場合、処理後の前記関連ブロックの動きベクトルと前記現在画像ブロックの参照画像に基づいて前記現在画像ブロックの参照ブロックを確定することを含み、
前記処理後の前記関連ブロックの動きベクトルと処理前の関連ブロックの動きベクトルは同じである項目３３から５３のいずれか一項に記載の方法。
（項目５５）
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを特徴とする項目５４に記載の方法。
（項目５６）
前記の前記関連ブロックの動きベクトルに基づいて、前記現在画像ブロックを符号化／復号することは、
前記関連ブロックの参照画像が特定参照画像、または前記現在のブロックの参照画像が特定参照画像である場合、前記関連ブロックの動きベクトルに基づいて前記現在画像ブロックの参照ブロックを確定することを放棄することを含む項目３３〜５３のいずれか一項に記載の方法。
（項目５７）
前記方法はさらに、
前記特定近傍ブロックの動きベクトルが特定参照画像を指し、または前記現在画像ブロックの参照画像が特定参照画像である場合、処理後の前記関連ブロックの動きベクトルと前記現在画像ブロックの参照画像に基づいて、前記現在画像ブロックの参照ブロックを確定することをさらに含み、
前記処理後の前記関連ブロックの動きベクトルと処理前の関連ブロックの動きベクトルは同じである項目４３〜４６のいずれか一項に記載の方法。
（項目５８）
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む項目５７に記載の方法。
（項目５９）
動画像処理方法であって、
現在画像ブロックのＭ個の近傍ブロックを取得することと、
前記Ｍ個の近傍ブロック中の少なくとも一部の近傍ブロックを順次走査し、走査結果に基づいて、対象近傍ブロックを確定することと、
前記現在画像ブロックをサイズが６４以上の画素に固定される複数のサブ画像ブロックに分割することと、
前記対象近傍ブロックの動きベクトルおよび前記サブ画像ブロックに基づいて、前記現在画像ブロックの参照画像において、前記現在画像ブロックの関連ブロックを確定することと、
前記関連ブロックの動きベクトルに基づいて、前記現在画像ブロックを符号化／復号することとを含む動画像処理方法。
（項目６０）
前記サブ画像ブロックのサイズおよび／または前記サブ画像ブロックの時間領域参照ブロックのサイズはいずれも８×８画素、または１６×４画素または４×１６画素に固定される項目５９に記載の方法。
（項目６１）
前記の前記Ｍ個の近傍ブロック中の少なくとも一部の近傍ブロックを順次走査し、走査結果に基づいて、対象近傍ブロックを確定することは、
前記少なくとも一部の近傍ブロックを順次走査し、１つ目の事前設定条件に符合する近傍ブロックまで走査すると、走査を停止し、かつ前記走査した前記１つ目の事前設定条件に符合する近傍ブロックに基づいて、対象近傍ブロックを確定することを含む項目５９に記載の方法。
（項目６２）
前記の前記走査した前記１つ目の事前設定条件に符合する近傍ブロックに基づいて対象近傍ブロックを確定することは、
前記１つ目の事前設定条件に符合する近傍ブロックを前記対象近傍ブロックとすることを含む項目６１に記載の方法。
（項目６３）
前記事前設定条件は、
近傍ブロックの参照画像と前記現在画像ブロックの参照画像が同じであることであることを含む項目６１に記載の方法。
（項目６４）
前記対象近傍ブロックの動きベクトルおよびその前記サブ画像ブロックに基づいて、前記現在画像ブロックの参照画像において、前記現在画像ブロックの関連ブロックを確定することは、
前記対象近傍ブロックの動きベクトルおよびその前記サブ画像ブロックに基づいて、前記現在画像ブロックの参照画像において、前記サブ画像ブロックの関連ブロックを確定することを含み、
前記現在画像ブロックの関連ブロックは、前記サブ画像ブロックの関連ブロックを含む項目５９に記載の方法。
（項目６５）
動画像の動きベクトルを取得する装置であって、
現在画像ブロックの動きベクトル候補リストに入れられるＭ個の動きベクトル候補を取得するために用いられる取得ユニットと、
前記Ｍ個の動きベクトル候補のうちのＮ個の動きベクトル候補を順次走査し、走査結果に基づいて、参照動きベクトルを確定するために用いられ、ＮがＭより小さい確定ユニットとを含み、
前記確定ユニットはさらに、前記参照動きベクトル、前記現在画像ブロックおよび前記現在画像ブロックの参照画像に基づいて、前記動きベクトル候補リストに引き続き入れられる動きベクトル候補を確定するために用いられ、
前記確定ユニットはさらに、前記動きベクトル候補リストに基づいて、前記現在画像ブロックの動きベクトルを確定するために用いられる動画像の動きベクトルを取得する装置。
（項目６６）
前記取得ユニットは、現在画像ブロックの現在フレーム内でのＭ個の近傍ブロックの動きベクトルに基づいて、前記現在画像ブロックの動きベクトル候補リストに入れられるＭ個の動きベクトル候補を取得するために用いられる項目６５に記載の装置。
（項目６７）
前記近傍ブロックは現在フレームにおいて前記現在画像ブロックの位置に隣接しまたはある位置ピッチを有する画像ブロックである項目６６に記載の装置。
（項目６８）
前記確定ユニットは、前記Ｍ個の動きベクトル候補のうち前のＮ個の動きベクトル候補を順次走査するために用いられる項目６６または６７に記載の装置。
（項目６９）
Ｍは４に等しく、前記Ｎは４より小さい項目６５〜６８のいずれか一項に記載の装置。
（項目７０）
Ｎは１または２に等しい項目６９に記載の装置。
（項目７１）
前記確定ユニットは事前設定条件に基づいて、前記Ｍ個の動きベクトル候補のうちのＮ個の動きベクトル候補を順次走査し、走査結果に基づいて、前記参照動きベクトルを確定するために用いられる項目６５〜７０のいずれか一項に記載の装置。
（項目７２）
前記事前設定条件は、
指す参照フレームと前記現在画像ブロックの参照画像が同じである動きベクトル候補を含む項目７１に記載の装置。
（項目７３）
前記確定ユニットは前記Ｎ個の動きベクトル候補を順次走査し、１つ目の前記事前設定条件に符合する動きベクトル候補まで走査すると、走査を停止し、かつ前記走査した１つ目の前記事前設定条件に符合する動きベクトル候補に基づいて、参照動きベクトルを確定するために用いられる項目７１または７２に記載の装置。
（項目７４）
前記確定ユニットは前記Ｎ個の動きベクトル候補のうち前記事前設定条件に符合する動きベクトル候補が走査されていない時、前記動きベクトル候補リスト中の特定動きベクトル候補に対してスケーリング処理を行い、スケーリング処理後の特定動きベクトル候補に基づいて、前記参照動きベクトルを確定するために用いられる項目７１または７２に記載の装置。
（項目７５）
前記特定動きベクトル候補は、前記Ｎ個の動きベクトル候補のうち、走査順で得られた１つ目の動きベクトルまたは最後の動きベクトルである項目７４に記載の装置。
（項目７６）
前記確定ユニットは前記運動ベクトル候補リストにおける特定動きベクトル候補にスケーリング処理を行って、前記スケーリング処理後の特定動きベクトル候補が指す参照フレームが前記現在画像ブロックの参照画像と同じになるようにし、前記スケーリング処理後の特定動きベクトル候補を前記参照動きベクトルとするために用いられる項目７４または７５に記載の装置。
（項目７７）
前記確定ユニットは、前記Ｎ個の動きベクトル候補のうち前記事前設定条件に符合する動きベクトル候補が走査されていない時、デフォルト値を前記参照動きベクトルとするために用いられる項目７１または７２に記載の装置。
（項目７８）
前記デフォルト値は動きベクトル（０，０）である項目７７に記載の装置。
（項目７９）
前記確定ユニットは、前記現在画像ブロックを複数のサブ画像ブロックに分割し、前記参照動きベクトルに基づいて、前記現在画像ブロックの参照画像において前記サブ画像ブロックの関連ブロックを確定し、前記関連ブロックの動きベクトルに基づいて、前記動きベクトル候補リストに引き続き入れる動きベクトル候補を確定するために用いられる項目６５〜７８のいずれか一項に記載の装置。
（項目８０）
前記サブ画像ブロックのサイズおよび／または前記サブ画像ブロックの関連ブロックのサイズは６４以上の画素に固定される項目７９に記載の装置。
（項目８１）
前記現在画像ブロックは１つの符号化ユニットＣＵである項目７９に記載の装置。
（項目８２）
前記確定ユニットは、前記参照動きベクトルに基づいて、前記現在画像ブロックの参照画像において前記現在画像ブロックの関連ブロックを確定し、前記関連ブロックの動きベクトルに基づいて、前記動きベクトル候補リストに引き続き入れる動きベクトル候補を確定するために用いられる項目６５〜７８のいずれか一項に記載の装置。
（項目８３）
前記確定ユニットは前記関連ブロックの動きベクトルが特定参照画像を指し、または前記現在画像ブロックの参照画像が特定参照画像である場合、処理後の前記関連ブロックの動きベクトルに基づいて、前記動きベクトル候補リストに引き続き入れる動きベクトル候補を確定するために用いられ、前記処理後の前記関連ブロックの動きベクトルと処理前の関連ブロックの動きベクトルは同じである項目７９〜８２のいずれか一項に記載の装置。
（項目８４）
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む項目８３に記載の装置。
（項目８５）
前記確定ユニットは前記関連ブロックの動きベクトルが特定参照画像を指し、または前記現在画像ブロックの参照画像が特定参照画像である場合、前記関連ブロックの動きベクトルに基づいて、前記動きベクトル候補リストに引き続き入れる動きベクトル候補を確定することを放棄するために用いられる項目７９〜８２のいずれか一項に記載の装置。
（項目８６）
前記確定ユニットは前記特定動きベクトル候補が特定参照画像を指し、または前記現在画像ブロックの参照画像が特定参照画像である場合、処理後の前記特定動きベクトル候補に基づいて前記動きベクトル候補リストに引き続き入れる動きベクトル候補を確定するために用いられ、前記処理後の前記特定動きベクトル候補と処理前の特定動きベクトル候補は同じである項目７４〜７６のいずれか一項に記載の装置。
（項目８７）
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む項目８６に記載の装置。
（項目８８）
前記確定ユニットは前記特定動きベクトル候補が特定参照画像を指し、または前記現在画像ブロックの参照画像が特定参照画像である場合、前記特定動きベクトル候補に基づいて前記動きベクトル候補リストに引き続き入れる動きベクトル候補を確定することを放棄するために用いられる項目７４〜７６のいずれか一項に記載の装置。
（項目８９）
前記動きベクトル候補リストはＭｅｒｇｅ候補リストである項目６５〜８８のいずれか一項に記載の装置。
（項目９０）
前記現在画像ブロックの参照画像は前記現在画像ブロックの同位フレームである項目６５〜８９のいずれか一項に記載の装置。
（項目９１）
前記サブ画像ブロックのサイズおよび／または前記サブ画像ブロックの関連ブロックのサイズはいずれも８×８画素に固定される項目７９に記載の装置。
（項目９２）
動画像の運動ベクトルを取得する装置であって、
現在画像ブロックの動きベクトル候補リストに入れられるＭ個の動きベクトル候補を取得するために用いられる取得ユニットと、
前記Ｍ個の動きベクトル候補のうちの少なくとも一部の動きベクトル候補を順次走査し、走査結果に基づいて、前記現在画像ブロックの参照動きベクトルを確定するために用いられる確定ユニットと、
前記現在画像ブロックをサイズが６４以上の画素に固定される複数のサブ画像ブロックに分割するために用いられる分割ユニットとを含み、
前記確定ユニットはさらに、前記参照動きベクトルに基づいて、前記現在画像ブロックの参照画像において前記サブ画像ブロックの関連ブロックを確定するために用いられ、
前記確定ユニットはさらに、前記関連ブロックの動きベクトルに基づいて、前記動きベクトル候補リストに引き続き入れる動きベクトル候補を確定するために用いられる動画像の運動ベクトルを取得する装置。
（項目９３）
前記サブ画像ブロックのサイズおよび／または前記サブ画像ブロックの関連ブロックのサイズはいずれも８×８画素に固定される項目９２に記載の装置。
（項目９４）
前記確定ユニットは前記少なくとも一部の動きベクトル候補を順次走査し、１つ目の事前設定条件に符合する動きベクトル候補まで走査すると、走査を停止し、かつ前記走査した前記１つ目の事前設定条件に符合する動きベクトル候補に基づいて参照動きベクトルを確定するために用いられる項目９２に記載の装置。
（項目９５）
前記確定ユニットは前記１つ目の事前設定条件に符合する動きベクトル候補を前記対象近傍ブロックとするために用いられる項目９４に記載の装置。
（項目９６）
前記事前設定条件は、動きベクトル候補の参照画像と前記現在画像ブロックの参照画像が同じであることを含む項目９４に記載の装置。
（項目９７）
動画像処理装置であって、
現在画像ブロックのＭ個の近傍ブロックを取得するために用いられる取得ユニットと、
前記Ｍ個の近傍ブロックのうち、Ｍより小さいＮ個の近傍ブロックを順次走査し、走査結果に基づいて、対象近傍ブロックを確定するために用いられる確定ユニットであって、さらに、前記対象近傍ブロックの動きベクトル、前記現在画像ブロック、および前記現在画像ブロックの参照画像に基づいて、前記現在画像ブロックの関連ブロックを確定するために用いられるものと、
前記関連ブロックの動きベクトルに基づいて、前記現在画像ブロックを符号化／復号するために用いられる符号化／復号ユニットとを含む動画像処理装置。
（項目９８）
Ｍは４に等しく、前記Ｎは４より小さい項目９７に記載の装置。
（項目９９）
Ｎは１または２に等しい項目９８に記載の装置。
（項目１００）
前記確定ユニットは前記Ｍ個の近傍ブロックのうち前のＮ個の近傍ブロックを順次走査するために用いられる項目９７〜９９のいずれか一項に記載の装置。
（項目１０１）
前記取得ユニットは予め設定された順で現在画像ブロックのＭ個の近傍ブロックを順次取得するために用いられ、
前記前のＮ個の近傍ブロックとは、前記予め設定された順で最初に確定されたＮ個の近傍ブロックを指す項目１００に記載の装置。
（項目１０２）
前記確定ユニットは前記Ｎ個の近傍ブロックを順次走査し、１つ目の事前設定条件に符合する近傍ブロックまで走査すると、走査を停止し、かつ前記走査した前記１つ目の事前設定条件に符合する近傍ブロックに基づいて、対象近傍ブロックを確定するために用いられる項目９７〜１０１のいずれか一項に記載の装置。
（項目１０３）
前記確定ユニットは前記１つ目の事前設定条件に符合する近傍ブロックを前記対象近傍ブロックとするために用いられる項目１０２に記載の装置。
（項目１０４）
前記事前設定条件は、
近傍ブロックの参照画像と前記現在画像ブロックの参照画像が同じであることであることを含む項目１０３に記載の装置。
（項目１０５）
前記符号化／復号ユニットは、前記関連ブロックの動きベクトルと参照画像に基づいて、前記現在画像ブロックの参照ブロックを確定するために用いられる項目９７〜１０４のいずれか一項に記載の装置。
（項目１０６）
前記符号化／復号ユニットは、前記現在画像ブロックの候補ブロックリストを構築し、前記候補ブロックリスト中の候補ブロックは前記Ｍ個の近傍ブロックと前記関連ブロックを含み、前記候補ブロックリストにおける候補ブロックの参照ブロックに基づいて、前記現在画像ブロックを符号化／復号するために用いられる項目１０５に記載の装置。
（項目１０７）
前記符号化／復号ユニットはさらに、前記Ｎ個の近傍ブロックにおいて前記事前設定条件に符合する近傍ブロックが走査されていない場合、前記Ｍ個の近傍ブロック中の特定近傍ブロックの動きベクトルにスケーリング処理を行い、前記スケーリング処理後の動きベクトルに基づいて、前記現在画像ブロックを符号化／復号するために用いられる項目９７〜１０６のいずれか一項に記載の装置。
（項目１０８）
前記符号化／復号ユニットは、前記スケーリング処理後の動きベクトルと前記現在画像ブロックの参照画像に基づいて、前記現在画像ブロックの参照ブロックを確定するために用いられる項目１０７に記載の装置。
（項目１０９）
前記特定近傍ブロックは、前記Ｎ個の近傍ブロックのうち、走査順で得られた１つ目近傍ブロックまたは最後の近傍ブロックである項目１０７に記載の装置。
（項目１１０）
前記符号化／復号ユニットは、前記特定近傍ブロックの動きベクトルにスケーリング処理を行い、前記スケーリング処理後の動きベクトルが指す参照フレームが前記現在画像ブロックの参照画像と同じになるようにし、前記スケーリング処理後の動きベクトルの前記現在画像ブロックの参照画像中で指す画像ブロックを前記現在画像ブロックの参照ブロックとするために用いられる項目１０７に記載の装置。
（項目１１１）
前記確定ユニットは、前記Ｎ個の近傍ブロック中に前記事前設定条件に符合する近傍ブロックが走査されていない場合、デフォルトブロックを前記現在画像ブロックの参照ブロックとするために用いられる項目９７〜１０６のいずれか一項に記載の装置。
（項目１１２）
前記ディフォルトブロックは動きベクトル（０，０）が指す画像ブロックである項目１１１に記載の装置。
（項目１１３）
前記確定ユニットは、
前記現在画像ブロックを複数のサブ画像ブロックに分割することと、
前記対象近傍ブロックの動きベクトルに基づいて、前記現在画像ブロックの参照画像においてサブ画像ブロックの関連ブロックを確定することとのために用いられ、前記現在画像ブロックの関連ブロックは前記サブ画像ブロックの関連ブロックを含む項目９７〜１１２のいずれか一項に記載の装置。
（項目１１４）
前記サブ画像ブロックのサイズおよび／または前記サブ画像ブロックの関連ブロックのサイズは６４以上の画素に固定される項目１１３に記載の装置。
（項目１１５）
前記現在画像ブロックは１つの符号化ユニットＣＵである項目９７〜１１４のいずれか一項に記載の装置。
（項目１１６）
前記確定ユニットは、前記対象近傍ブロックの動きベクトルに基づいて、前記現在画像ブロックの参照画像において、前記現在画像ブロックの関連ブロックを確定するために用いられる項目９７〜１０９のいずれか一項に記載の装置。
（項目１１７）
前記近傍ブロックは、前記現在画像において前記現在画像ブロックの位置に隣接しまたはある位置ピッチを有する画像ブロックである項目９７〜１１６のいずれか一項に記載の装置。
（項目１１８）
前記符号化／復号ユニットは、前記関連ブロックの参照画像が特定参照画像、または前記現在画像ブロックの参照画像が特定参照画像である場合、処理後の前記関連ブロックの動きベクトルと前記現在画像ブロックの参照画像に基づいて、前記現在画像ブロックの参照ブロックを確定するために用いられ、
前記処理後の前記関連ブロックの動きベクトルと処理前の関連ブロックの動きベクトルは同じである項目９７〜１１７のいずれか一項に記載の装置。
（項目１１９）
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む項目１１８に記載の装置。
（項目１２０）
前記符号化／復号ユニットは、前記関連ブロックの参照画像が特定参照画像、または現在のブロックの参照画像が特定参照画像である場合、前記関連ブロックの動きベクトルに基づいて前記現在画像ブロックの参照ブロックを確定することを放棄するために用いられる項目９７〜１１７のいずれか一項に記載の装置。
（項目１２１）
前記確定ユニットは、
前記近傍ブロックの動きベクトルが特定参照画像を指し、または前記現在画像ブロックの参照画像が特定参照画像である場合、処理後の前記関連ブロックの動きベクトルと前記現在画像ブロックの参照画像に基づいて前記現在画像ブロックの参照ブロックを確定するために用いられ、
前記処理後の前記関連ブロックの動きベクトルと処理前の関連ブロックの動きベクトルは同じである項目１０７〜１１０のいずれか一項に記載の装置。
（項目１２２）
前記処理後の前記関連ブロックの動きベクトルは、
数値が１の縮尺で前記関連ブロックの動きベクトルをスケーリングした後に得られた動きベクトル、または、
スケーリングステップをスキップした前記関連ブロックの動きベクトルを含む項目１２１に記載の装置。
（項目１２３）
動画像処理装置であって、
現在画像ブロックのＭ個の近傍ブロックを取得するために用いられる取得ユニットと、
前記Ｍ個の近傍ブロック中の少なくとも一部の近傍ブロックを順次走査し、走査結果に基づいて対象近傍ブロックを確定するために用いられる確定ユニットであって、さらに、前記対象近傍ブロックの動きベクトルおよび前記サブ画像ブロックに基づいて、前記現在画像ブロックの参照画像において、前記現在画像ブロックの関連ブロックを確定するために用いられるものと、
前記現在画像ブロックをサイズが６４以上の画素に固定される複数のサブ画像ブロックに分割するために用いられる分割ユニットと、
前記関連ブロックの動きベクトルに基づいて、前記現在画像ブロックを符号化／復号するために用いられる符号化／復号ユニットとを含む動画像処理装置。
（項目１２４）
前記サブ画像ブロックのサイズおよび／または前記サブ画像ブロックの時間領域参照ブロックのサイズはいずれも８×８画素に固定される１２３に記載の装置。
（項目１２５）
前記の前記Ｍ個の近傍ブロック中の少なくとも一部の近傍ブロックを順次走査し、走査結果に基づいて、対象近傍ブロックを確定することは、
前記少なくとも一部の近傍ブロックを順次走査し、１つ目の事前設定条件に符合する近傍ブロックまで走査すると、走査を停止し、かつ前記走査した前記１つ目の事前設定条件に符合する近傍ブロックに基づいて、対象近傍ブロックを確定することを含む項目１２３に記載の装置。
（項目１２６）
前記確定ユニットは、前記１つ目の事前設定条件に符合する近傍ブロックを前記対象近傍ブロックとするために用いられる項目１２５に記載の装置。
（項目１２７）
前記事前設定条件は、近傍ブロックの参照画像と前記現在画像ブロックの参照画像が同じであることを含む項目１２５に記載の装置。
（項目１２８）
前記確定ユニットは、前記対象近傍ブロックの動きベクトルおよび前記サブ画像ブロックに基づいて、前記現在画像ブロックの参照画像において前記サブ画像ブロックの関連ブロックを確定するために用いられ、前記現在画像ブロックの関連ブロックは前記サブ画像ブロックの関連ブロックを含む項目１２３に記載の装置。
（項目１２９）
動画像処理装置であって、メモリとプロセッサを含み、前記メモリは命令を記憶するために用いられ、前記プロセッサは前記メモリに記憶された命令を実行し、前記メモリに記憶された命令を実行することによって、前記プロセッサは項目１〜６４のいずれか一項に記載の方法を実行するために用いられる動画像処理装置。
（項目１３０）
コンピュータ記憶媒体であって、それにコンピュータプログラムが記憶され、前記コンピュータプログラムはコンピュータに実行されるとき、前記コンピュータに項目１〜６４のいずれか一項に記載の方法を実行させるコンピュータ記憶媒体。
（項目１３１）
命令を含むコンピュータプログラム製品であって、前記命令がコンピュータに実行されるとき、前記コンピュータに項目１〜６４のいずれか一項に記載の方法を実行させる命令を含むコンピュータプログラム製品。